(57)【特許請求の範囲】
【請求項１】
駆動コネクタを上面に備えた本体と、この本体上に着脱自在に嵌合した従動コネクタとカッターを設けた容器を備え、前記容器は前記カッターと前記従動コネクタを軸支するカッター支持板と、コップ台と、このコップ台と着脱自在なコップから構成され、前記コップ台上に上向きに付勢して上下動可能に遊嵌されたカッター支持板を前記コップで挟持し、前記コップ台に前記コップが取り付けられておらず前記カッター支持板が上死点にあるとき、前記カッター支持板を下方への移動を防止するよう係止するように付勢されたストッパーを設け、このストッパーは前記コップ台に前記コップを取り付けると前記カッター支持板から離脱するようにした電動調理機。
【請求項２】
駆動コネクタと嵌合部を上面に備えた本体と、この本体上の前記嵌合部に着脱自在に嵌合し従動コネクタとカッターを設けた容器を備え、前記容器は前記カッターと前記従動コネクタを軸支するコップ台と、このコップ台の裏面に下向きに付勢して上下動可能に遊嵌された干渉板と、前記コップ台と着脱自在なコップから構成され、前記干渉板を前記本体上の前記嵌合部に当接させた電動調理機において、前記コップ台に前記コップが付いていないときに、前記コップ台を係止して前記コップ台の下方への移動を防止するストッパーを設け、このストッパーは、前記コップ台に前記コップを取り付けると、前記コップ台に当たらない位置に引っ込むようにした電動調理機。
【請求項３】
駆動コネクタと嵌合部を上面に備えた本体と、この本体上の前記嵌合部に着脱自在に嵌合し従動コネクタとカッターを設けた容器を備え、前記容器は前記カッターと前記従動コネクタを軸支するコップ台と、このコップ台の裏面に下向きに付勢して上下動可能に遊嵌された干渉板と、前記コップ台と着脱自在なコップから構成され、前記干渉板を前記本体上の前記嵌合部に当接させた電動調理機において、前記コップ台に前記コップが取り付けられておらず前記干渉板が下死点にあるとき、前記干渉板を上方への移動を防止するように係止するよう付勢されたストッパーを設け、このストッパーは前記コップ台に前記コップを取り付けると前記干渉板から離脱するようにした電動調理機。
【発明の詳細な説明】
【０００１】
【発明の属する技術分野】
本発明は、一般家庭用の電動調理機の安全に関するものである。
【０００２】
【従来の技術】
従来の電動調理機について、実公昭６２−４５６２５号公報に記載されたものを例に説明する。図１０、図１１は従来の電動調理機を示すものである。図において、１は電動機（図示せず）を内蔵する本体で、上部に設けたツノ２の部分にコップ台３を着脱自在に載置していた。コップ台３にはカッター４を回転自在に軸支しているカッター台５を挟んでコップ６をネジ嵌合で着脱自在に取り付けて底部とし、容器を構成していた。７はコップ台３をツノ２の部分に載置するとコップ台３に設けたリブ８に押されて下動する容器検知体で、容器検知体７が下動すると本体１に内蔵された電動機の電源のインターロック（図示せず）を解除するように構成されていた。この構成により、本体１に容器を載せない状態では、電動機の電源がインターロックされたままで回転しないようにしていた。
【０００３】
【発明が解決しようとする課題】
しかしながら、前記のように構成された従来の電動調理機は、本体１にコップ６を取り付けていない状態のコップ台３を載せてもインターロックが解除され電源を入れることができ、カッター４が回転するという課題を有していた。
【０００４】
本発明は、前記の従来の課題を解決するもので、掃除が容易なようにコップをコップ台から取り外せるようにした電動調理機で、コップ台を単体で本体上に載せてもカッターが回転しないより安全な電動調理機を提供することを目的とする。
【０００５】
【課題を解決するための手段】
前記従来の課題を解決するために本発明の電動調理機は、駆動コネクタを上面に備えた本体と、この本体上に着脱自在に嵌合した従動コネクタとカッターを設けた容器を備え、前記容器は前記カッターと前記従動コネクタを軸支するカッター支持板と、コップ台と、このコップ台と着脱自在なコップから構成され、前記コップ台上に上向きに付勢して上下動可能に遊嵌されたカッター支持板を前記コップで挟持し、前記コップ台に前記コップが取り付けられておらず前記カッター支持板が上死点にあるとき、前記カッター支持板を下方への移動を防止するよう係止するように付勢されたストッパーを設け、このストッパーは前記コップ台に前記コップを取り付けると前記カッター支持板から離脱するようにしたものである。
【０００６】
これにより、コップ台を単体で本体に載せてもカッター支持板は上向きに付勢されカッター支持板が駆動コネクタとカッターと一体の従動コネクタが係合しない上死点以上にに移動して、たとえ駆動コネクタが回転してもカッターは回転しない電動調理機が得られる。
【０００７】
【発明の実施の形態】
本発明の請求項１に記載の発明は、駆動コネクタを上面に備えた本体と、この本体上に着脱自在に嵌合した従動コネクタとカッターを設けた容器を備え、前記容器は前記カッターと前記従動コネクタを軸支するカッター支持板と、コップ台と、このコップ台と着脱自在なコップから構成され、前記コップ台上に上向きに付勢して上下動可能に遊嵌されたカッター支持板を前記コップで挟持し、前記コップ台に前記コップが取り付けられておらず前記カッター支持板が上死点にあるとき、前記カッター支持板を下方への移動を防止するよう係止するように付勢されたストッパーを設け、このストッパーは前記コップ台に前記コップを取り付けると前記カッター支持板から離脱するようにした電動調理機であり、コップ台を単体で本体に載せても上向きに付勢されたカッター支持板が駆動コネクタと従動コネクタが係合しない上死点以上に移動しているので、駆動コネクタが回転してもカッターが回転しない。
【０００８】
また、コップ台を単体で本体にのせてカッター支持板が上死点にあるとき、たとえ、手でカッター支持板を押し下げようとしてもカッター支持板がストッパーで係止されて下がらないため、駆動コネクタが回転してもカッターが回転しない。
【０００９】
本発明の請求項２に記載の発明は、駆動コネクタと嵌合部を上面に備えた本体と、この本体上の前記嵌合部に着脱自在に嵌合し従動コネクタとカッターを設けた容器を備え、前記容器は前記カッターと前記従動コネクタを軸支するコップ台と、このコップ台の裏面に下向きに付勢して上下動可能に遊嵌された干渉板と、前記コップ台と着脱自在なコップから構成され、前記干渉板を前記本体上の前記嵌合部に当接させた電動調理機において、前記コップ台に前記コップが付いていないときに、前記コップ台を係止して前記コップ台の下方への移動を防止するストッパーを設け、このストッパーは、前記コップ台に前記コップを取り付けると、前記コップ台に当たらない位置に引っ込むようにしており、コップ付きの容器を本体に載せるとその重みで干渉板の付勢力に抗してコップ台は本体に嵌合してカッターが回転可能となり、コップ台を単体で本体に載せると上向きに付勢されたコップ台が浮き上がり駆動コネクタと従動コネクタが係合しないため、駆動コネクタが回転してもカッターが回転しない。また、コップ台を単体で本体にのせてコップ台が浮き上がっているとき、手でコップ台を押し下げようとしてもコップ台がストッパーで係止されて動かないため、駆動コネクタが回転してもカッターが回転しない。
【００１０】
本発明の請求項３に記載の発明は、駆動コネクタと嵌合部を上面に備えた本体と、この本体上の前記嵌合部に着脱自在に嵌合し従動コネクタとカッターを設けた容器を備え、前記容器は前記カッターと前記従動コネクタを軸支するコップ台と、このコップ台の裏面に下向きに付勢して上下動可能に遊嵌された干渉板と、前記コップ台と着脱自在なコップから構成され、前記干渉板を前記本体上の前記嵌合部に当接させた電動調理機において、前記コップ台に前記コップが取り付けられておらず前記干渉板が下死点にあるとき、前記干渉板を上方への移動を防止するように係止するよう付勢されたストッパーを設け、このストッパーは前記コップ台に前記コップを取り付けると前記干渉板から離脱するようにしており、コップ付きの容器を本体に載せるとその重みで干渉板の付勢力に抗してコップ台は本体に嵌合してカッターが回転可能となり、コップ台を単体で本体に載せると上向きに付勢されたコップ台が浮き上がり駆動コネクタと従動コネクタが係合しないため、駆動コネクタが回転してもカッターが回転しない。また、コップ台を単体で本体にのせてコップ台が浮き上がっているとき、手でコップ台を押し下げようとしても干渉板がストッパーで係止されて動かないため、駆動コネクタが回転してもカッターが回転しない。
【００１１】
【実施例】
以下本発明の実施例について、図面を参照しながら説明する。
【００１２】
（実施例１）
図１〜図３は、本発明の実施例１における電動調理機およびその容器の構成を示す図である。
【００１３】
図において、９は電動機（図示せず）により回転する駆動コネクタ１０を有する本体で、上部に設けた嵌合部１１にコップ台１２を着脱自在に載置している。１３はカッター１４と従動コネクタ１５を一体化し回転自在に軸支しているカッター支持板で、コップ台１２の上面にバネ１６で上向きに付勢され、抜け止め１７、１８の間で上下動可能に遊嵌されている。コップ１９はコップ台１２にカッター支持板１３とパッキン２０を挟み込みネジ嵌合で着脱自在に取り付けている。さらに、コップ台１２の内側面のネジ部にスリット２１を設けてストッパー２２が嵌め込まれて取り付けており、ストッパー２２はカッター支持板１３を上方への移動を防止するよう係止する爪部２３、コップ１９のネジ部と当接してコップ１９が取り付けられたことを検知する検知部２４、曲がり部分には弾性的にたわむヒンジ部２５を一体に有している。
【００１４】
以上のように構成された電動調理機について、以下その動作を説明する。
【００１５】
まず、コップ台１２にコップ１９を取り付けた場合は図１に示すようにコップ１９の底面がパッキン２０とともにカッター支持板１３をバネ１６に抗して押し下げて従動コネクタ１５が駆動コネクタ１０と係合しカッター１４を回転させることができ、またストッパー２２の検知部２４がコップ１９のネジ部に押されて爪部２３が外側に引っ込んでいる。
【００１６】
つぎに、コップ台１２にコップ１９が付いていない場合は図２に示すようにカッター支持板１３がバネ１６によって抜け止め１７、１８の位置まで押し上げられ従動コネクタ１５が駆動コネクタ１０から外れてカッター１４を回転できなくしている。また、このときストッパー２２のヒンジ部２５が内側にもどって爪部２３がカッター支持板１３を係止して下方への移動を防止しており、手でカッター支持板１３を押しても下げることができない。
【００１７】
また、この構成によればカッター１４の回転中にコップ１９をコップ台１２から取り外したとしてもカッター１４の回転を確実に止めることができる。
【００１８】
なお、この実施例ではストッパー２２を設けた構成にしているが、これがなくてもコップ台１２だけでカッター１４を回転できなくする効果は同じである。
【００１９】
（実施例２）
図４〜図６は、本発明の実施例２の電動調理機およびその容器の構成図である。図において、９は電動機（図示せず）により回転する駆動コネクタ１０を有する本体で、上部に設けた嵌合部１１にカッター１４と従動コネクタ１５を回転自在に軸支しているコップ台１２を着脱自在に載置している。３２は干渉板で、コップ台１２の裏面にバネ１６で下向きに付勢され嵌合部１１の上面に当接しながら抜け止め１７、１８の間で上下動可能に遊嵌されている。バネ１６の荷重はコップ台１２単体の重みに対してはコップ台１２を持ち上げ、コップ台１２にコップ１９がついている場合は沈み込む設定にしている。
【００２０】
コップ１９はコップ台１２にパッキン２０を挟み込みネジ嵌合で着脱自在にコップ台１２に取り付けている。さらに、コップ台１２の内側面のネジ部にスリット２１を設けてストッパー３９を取り付けており、ストッパー３９は干渉板３２の上方への移動を防止するよう係止する爪部４０、コップ１９のネジ部と当接する検知部２４、弾性的にたわむヒンジ部２５を一体に形成している。
【００２１】
以上のように構成された電動調理機について、以下その動作を説明する。
【００２２】
まず、コップ台１２にコップ１９を取り付けた場合は図４に示すようにコップ１９の重みによりバネ１６に抗してコップ台１２が下がり従動コネクタ１５が駆動コネクタ１０と係合しカッター１４を回転させることができ、またストッパー３９の検知部２４がコップ１９のネジ部に押されて爪部４０が干渉板３２に当たらない位置に引っ込んでいる。
【００２３】
つぎに、コップ台１２にコップ１９が付いていない場合は図５に示すようにコップ台１２がバネ１６によって抜け止め１７、１８の位置まで押し上げられ従動コネクタ１５が駆動コネクタ１０から外れてカッター１４を回転できなくしている。また、このときストッパー３９のヒンジ部２５がもどって爪部４０がストッパー３９を係止しており、手でコップ台１９を下方へ押しても下げることができない。
【００２４】
なお、この実施例ではストッパー３９を設けた構成にしているが、これがなくてもコップ台１９だけでカッター１４を回転できなくする効果は同じである。
【００２５】
（実施例３）
図７〜図９は、本発明の実施例３の電動調理機およびその容器の構成図である。実施例２と同一構成部品には同じ符号を付し、その説明は省略する。異なる点は図において、干渉板４３にストッパー４４を一体に設けており、ストッパー４４はコップ台３１を係止する爪部４５、コップ１９のネジ部と当接する検知部２４、弾性的にたわむヒンジ部２５を有している。干渉板４３は、コップ台３１の裏面にバネ１６で下向きに付勢され嵌合部１１の上面に当接しながら抜け止め１７、１８の間で上下動可能に遊嵌されている。
【００２６】
以上のように構成された電動調理機について、以下その動作を説明する。
【００２７】
まず、コップ台３１にコップ１９を取り付けた場合は図７に示すようにコップ１９の重みによりバネ１６に抗してコップ台１２が下がり従動コネクタ１５が駆動コネクタ１０と係合しカッター１４を回転させることができ、またストッパー４４の検知部２４がコップ１９のネジ部に押されて爪部２３がコップ台３１に当たらない位置に引っ込んでいる。
【００２８】
つぎに、コップ台３１にコップ１９が付いていない場合は図８に示すようにコップ台３１がバネ１６によって抜け止め１７、１８の位置まで押し上げられ従動コネクタ１５が駆動コネクタ１０から外れてカッター１４を回転できなくしている。また、このときストッパー４４のヒンジ部２５がもどって爪部４５がコップ台３１を係止しており、手でコップ台３１を押しても下げることができない。
【００２９】
【発明の効果】
以上のように、本発明によれば、掃除が容易なようにコップをコップ台から取り外せるようにした電動調理機で、たとえコップ台を単体で本体上に載せてもカッターが回転しない安全な電動調理機が得られる。
【図面の簡単な説明】
【図１】  本発明の実施例１における電動調理機の要部縦断面図
【図２】  同電動調理機のコップを外したときの要部縦断面図
【図３】  同電動調理機のコップ台とストッパーの分解斜視図
【図４】  本発明の実施例２における電動調理機の要部縦断面図
【図５】  同電動調理機のコップを外したときの要部縦断面図
【図６】  同電動調理機のコップ台とストッパーの分解斜視図
【図７】  本発明の実施例３における電動調理機の要部縦断面図
【図８】  同電動調理機のコップを外したときの要部縦断面図
【図９】  同電動調理機のコップ台と干渉板の分解斜視図
【図１０】  従来の電動調理機の要部縦断面図
【図１１】  同電動調理機の横断面図
【符号の説明】
９  本体
１０  駆動コネクタ
１１  嵌合部
１２、３１  コップ台
１３  カッター支持板
１４  カッター
１５  従動コネクタ
１９  コップ
２２、３９、４４  ストッパー
２６  容器
３２、４３  干渉板
【図１】
0003702769.tif 000002
【図２】
0003702769.tif 000003
【図３】
0003702769.tif 000004
【図４】
0003702769.tif 000005
【図５】
0003702769.tif 000006
【図６】
0003702769.tif 000007
【図７】
0003702769.tif 000008
【図８】
0003702769.tif 000009
【図９】
0003702769.tif 000010
【図１０】
0003702769.tif 000011
【図１１】
0003702769.tif 000012